(57)【要約】【課題】肩コイル、並びに側面コイルをコイルリールに予め巻き付けユニット化し、ユニット化したコイルリールを肩部に取り付けることにより、ワークコイルを均一に巻き付け、且つ肩部に簡単並びに短時間で取り付けてなる誘導加熱式炊飯器を提供することを目的とする。【解決手段】本体の上面に取り付けられる蓋と、該蓋の内側に取り付けられる放熱板と、前記本体内に収納され前記放熱板の下方に位置する内鍋と、前記内鍋の底部に取り付けられるメイン誘導加熱コイルと、前記内鍋の側部に取り付けられるサブ誘導加熱コイルとを有する誘導加熱式炊飯器において、前記サブ誘導加熱コイルは、コイルリールの外面にコイルを巻き付け、前記放熱板及び前記内鍋の側部を加熱する誘導加熱式炊飯器。【選択図】        図４
2004283482.tif 000002
【特許請求の範囲】
【請求項１】
本体の上面に取り付けられる蓋と、該蓋の内側に取り付けられる放熱板と、前記本体内に収納され前記放熱板の下方に位置する内鍋と、前記内鍋の底部に取り付けられるメイン誘導加熱コイルと、前記内鍋の側部に取り付けられるサブ誘導加熱コイルとを有する誘導加熱式炊飯器において、前記サブ誘導加熱コイルは、コイルリールの外面にコイルを巻き付け、前記放熱板及び前記内鍋の側部を加熱することを特徴とする誘導加熱式炊飯器。
【請求項２】
前記コイルリールは、略水平面と略垂直面とを有し、前記略水平面には横方向にコイルが巻かれていることを特徴とする請求項１記載の誘導加熱式炊飯器。
【請求項３】
前記コイルリールは、略水平面と略垂直面とを有し、前記略水平面には横方向にコイルが巻かれ、前記略垂直面には前記略水平面より空隙を設けて縦方向にコイルが巻かれていることを特徴とする請求項１記載の誘導加熱式炊飯器。
【請求項４】
前記横方向に巻かれたコイルは、複数段で形成し、上段と下段との間には非接触部材を介在させることを特徴とする請求項２、３記載の誘導加熱式炊飯器。
【請求項５】
前記横方向に巻かれたコイルの巻き数は、前記縦方向に巻かれたコイルの巻き数よりも多いことを特徴とする請求項２乃至４記載の誘導加熱式炊飯器。
【発明の詳細な説明】
【０００１】
【発明が属する技術分野】
本願発明は、肩部或いは内鍋の側部に加熱源としてのサブ誘導加熱コイルを設けるものに関し、特に、該サブ誘導加熱コイルを均一に巻き付けてなるコイルリール構造に関するものである。
【０００２】
【従来の技術】
最近の炊飯器は、加熱手段としてワークコイル等からなる誘導加熱方式を採用するものが多くなっている。この炊飯器は、効率的な炊飯制御並びにその後の長時間に亘る的確な保温制御を行うことができる等、非常に使い勝手の良い製品の一つとなっている。誘導加熱式の炊飯器は、内鍋の底部及び肩部近傍位置に加熱手段としてのワークコイルを取り付けてなり、これらワークコイルにより緻密な炊飯制御並びにその後の長時間に亘る的確な保温制御を行うものである。
【０００３】
このような従来の炊飯器を図１０に示す。この炊飯器は、容器本体ａと、該容器本体ａに対し開閉自在な外蓋ｂとにより構成され、容器本体ａは、外壁を形成する外ケースｃ、内壁を形成する内ケースｄ、上端部を形成し、外ケースｃ及び内ケースｄを一体的に連結する肩部材ｅを有する。また、前記内ケースｄ内には、飯米等を加熱調理する内鍋ｈが収納配置されるとともに、前記外蓋ｂの内面には、加熱され内鍋ｈ内の飯米等を加熱する放熱板ｐが取り付けられている。
【０００４】
そして内鍋ｈの底部及びコーナー部に対向する位置の内ケースｄには、底コイルｊ及びコーナーコイルｋが設けられ、電磁誘導により前記内鍋ｈを加熱し、内部のご飯等を炊くことになる。
【０００５】
また、肩部を構成する肩部材ｅにはサブ加熱源としての肩コイルｇが設けられ、外蓋ｂの閉蓋時に、外蓋ｂの内面に取り付けられる前記放熱板ｐの外周縁部を肩コイルｇの近傍に位置させ、該肩コイルｇの作用により放熱板ｐを発熱させ、主として保温時に内鍋ｈ内のご飯等を上部から保温し、特に保温時に外蓋ｂの内面に発生しがちな水蒸気の液滴化、ならびに内鍋ｈの内面に発生する水蒸気の液滴化をも防止し、水蒸気の液滴化に起因したご飯の白ぼけを防止するようにしている（例えば、特許文献１参照。）。
【０００６】
ところで、図１０に示す従来の肩コイルｇは、例えば、内ケースｄの上端部に肩コイルｇの取付箇所を設け、その取付箇所に肩コイルｇを巻き付けていたため、その巻き取りに手間並びに時間を要し、更には均一に巻き付けることが困難であった。
【０００７】
また、肩コイルｇの出力を上げるには、複数段に巻き付けることが考えられるが、従来のものでは複数段に且つ均一に巻き付けることはより困難であった。更に、放熱板による内鍋上面の加熱とともに内鍋の上部側面をも加熱することはご飯の乾燥を防ぐ等のために有効な手段であり、内鍋の上部側面を加熱するサブコイルを肩コイルｇの近傍に設けることが考えられるが、このようなコイルを肩コイルｇとともに内ケースｄに設けることは、その巻き取りに更に手間並びに時間を要し、ひいては生産コストを押し上げることになる。
【０００８】
【特許文献１】
特開平５−１１１４２５号公報。
【０００９】
【発明が解決しようとする課題】
本願発明の目的は、肩コイル、並びに側面コイルをコイルリールに予め巻き付けユニット化し、ユニット化したコイルリールを肩部に取り付けることにより、ワークコイルを均一に巻き付け、且つ肩部に簡単並びに短時間で取り付けてなる誘導加熱式炊飯器を提供することである。
【００１０】
【課題を解決するための手段】
上記目的を達成するため、本願発明は以下の構成を採用する。
【００１１】
請求項１に係る発明では、本体の上面に取り付けられる蓋と、該蓋の内側に取り付けられる放熱板と、前記本体内に収納され前記放熱板の下方に位置する内鍋と、前記内鍋の底部に取り付けられるメイン誘導加熱コイルと、前記内鍋の側部に取り付けられるサブ誘導加熱コイルとを有する誘導加熱式炊飯器において、前記サブ誘導加熱コイルは、コイルリールの外面にコイルを巻き付け、前記放熱板及び前記内鍋の側部を加熱する構成。
【００１２】
そしてこのような構成により、主として放熱板を加熱するための肩コイル等のサブ誘導加熱コイルを予めコイルリールに巻き付けてユニット化しておくことができるため、コイルリールへのリード線の巻き付けが均一になり、更にコイルリールの肩部への取り付けが簡単且つ短時間で行われる。
【００１３】
請求項２に係る発明では、前記コイルリールは、略水平面と略垂直面とを有し、前記略水平面には横方向にコイルが巻かれている構成。そしてこのような構成により、主として放熱板を加熱するための肩部コイルと内鍋の側面を加熱するための側面コイルからなるサブ誘導加熱コイルのコイルリール所定箇所への巻き付けが的確且つ均一になり、更にコイルリールの肩部への取り付けが簡単且つ短時間で行われる。
【００１４】
請求項３に係る発明では、前記コイルリールは、略水平面と略垂直面とを有し、前記略水平面には横方向にコイルが巻かれ、前記略垂直面には前記略水平面より空隙を設けて縦方向にコイルが巻かれている構成。そしてこのような構成により、側面コイルを内鍋側面の上方から下方の範囲内の適宜位置に配置したとしてもコイルリールを使用することができ、側面コイルの使用範囲を広げることができる。また、サブ誘導加熱コイルのコイルリール所定箇所への巻き付けが的確且つ均一になり、更にコイルリールの肩部への取り付けが簡単且つ短時間で行われる。
【００１５】
請求項４に係る発明では、前記横方向に巻かれたコイルは、複数段で形成し、上段と下段との間には非接触部材を介在させる構成。そしてこの構成により、請求項１乃至３に係る発明の作用に加え、肩部コイルの横方向への巻き数を低減しても放熱板を加熱するための出力を十分確保できる。また、段間に非接触部材を介在させることにより各段内でのリード線の巻き付けが均一になるとともに、非接触部材がリード線で発生する熱を逃がすため、コイルの温度上昇を抑えることができる。
【００１６】
請求項５に係る発明では、前記横方向に巻かれたコイルの巻き数は、前記縦方向に巻かれたコイルの巻き数よりも多い構成。そしてこの構成により、請求項１乃至４に係る発明の作用に加え、放熱板による内鍋上方よりの加熱量を十分確保することができ、ご飯の乾燥が抑止される等保温効果が向上する。
【００１７】
【発明の実施の形態】
（第１の実施の形態）
図１乃至図４は、本願発明の第１の実施の形態を示し、図１は誘導加熱式炊飯器１の全体を前面の一部及び断面の一部で示す図、図２は要部拡大斜視図、図３はコイルリール斜視図、図４はコイルリール部を示す要部拡大断面図である。
【００１８】
誘導加熱式炊飯器１について説明すると、図１に示すように、誘導加熱式炊飯器１は、炊飯器本体２及び蓋ユニット３からなる。炊飯器本体２は、更に有底筒状に形成された合成樹脂製の内ケース（保護枠）４と、該内ケース４を保持する外装筺体である筒状の外ケース５とを有し、該外ケース５と前記内ケース４とを結合一体化して上部が開口した有底筒状体の炊飯器本体２を形成するとともに、その開口部を覆って前記蓋ユニット３が開閉自在に取り付けられる。
【００１９】
また、前記内ケース４内には、内部に誘起されるうず電流によって自己発熱が可能なステンレス鋼材等の磁性金属材料（鉄系金属材料）よりなる内鍋６が任意に収納セット可能にされるとともに、該内ケース４の底壁部には、図示しないが、図１０の従来例に示すような内鍋６加熱用のメイン誘導加熱コイルが設けられ、それぞれ図示しない公知の制御装置により内ケース４内に収納された内鍋６の底面部及びコーナー部を加熱することにより効率良く炊飯を行う。また、前記内鍋６の上端部の開口縁部６ａには、内鍋６内の熱の逃げを低減するための絞り部６ｂが形成されている。
【００２０】
更に、前記内ケース４の上端側には、外周方向に鉤状に曲成された肩部材支持片１１が形成されるとともに、該肩部材支持片１１の上面には肩部材９及び肩コイル１３及び側面コイル１４を巻成したサブ誘導加熱用のコイルリール１２が取り付けられる。
【００２１】
前記外ケース５は、例えば合成樹脂板で形成された上下方向に筒状の側板としてのカバー部材８と、該カバー部材８の上端部に設けられた合成樹脂製の肩部材９と、前記カバー部材８の底部に設けられた底部材１０とからなっている。
【００２２】
そして、前記肩部材９は、図４に示すように外側に位置する外壁部９ａと上方の水平上面部９ｂと前記内鍋６に対向する内側折曲部９ｃとからなり、内側折曲部９ｃの下端部は前記内ケース４上端部の肩部材支持片１１に支持される。
【００２３】
一方、蓋ユニット３は、その外周面を構成する合成樹脂製の外カバー１７と、該外カバー１７内側の周方向に固定して設けられる合成樹脂製の内カバー１８とから形成されるとともに、両カバー１７、１８間には中空の断熱構造体としての内部空間１９が形成される。そして、該蓋ユニット３の前記内カバー１８の下方には、放熱板１６が着脱可能に取り付けられる。
【００２４】
該放熱板１６は、一体成形される放熱部１６ａ、凹陥部１６ｂ及び外周縁部１６ｃを有する。放熱部１６ａは、前記内鍋６の縮径された開口縁部６ａの口径に対応する部分であり、若干下方側に突出しており、該放熱部１６ａより加熱された放熱板１６の熱を内鍋６の中心方向に向かって放熱する。この放熱部１６ａは、凹陥部１６ｂ及び外周縁部１６ｃとともにアルミ等の熱良伝導性金属から形成されており、内鍋６内に熱を効率的に放熱する。
【００２５】
前記凹陥部１６ｂは、放熱部１６ａの外周側に形成される断面逆Ｕ字状の部分であり、その内周部には第２のパッキン２５の基部が嵌合され、該凹陥部１６ｂに第２のパッキン２５を嵌合することにより、蓋ユニット３の閉蓋時、第２のパッキン２５の他端は、内鍋６の開口縁部６ａの上端を覆う。
【００２６】
また、前記外周縁部１６ｃは、前記凹陥部１６ｂの更に外周側であって肩コイル１３に対向するリング状の部分であり、その底部には図１及び図８で示すようなリング状の磁性金属１５が貼付される。そして該磁性金属１５は、図４に示すように、肩コイル１３と所定の隙間を介して対向され、図示しない制御装置により肩コイル１３が駆動されると、それに対応して該磁性金属１５が誘導加熱される。その熱は、前記放熱板１６の外周縁部１６ｃを介して前記放熱部１６ａに伝えられ、放熱部１６ａの全面から内鍋６内の飯米に放熱されることになる。
【００２７】
また、蓋ユニット３を構成する前記外カバー１７及び内カバー１８の中央部には、上下両方向に貫通して調圧口２０が形成され、該調圧口２０に対して図示のようなキャップ構造の調圧ユニット２１が上方側から着脱可能に嵌合されている。
【００２８】
前記調圧口２０下部の内カバー１８中央部には、放熱板取付け用の筒部２２が設けられており、該筒部２２内に放熱板１６の中央に設けた相対的に小径の嵌合用筒部２３を相互の間に設けた凹凸部を介して嵌合係止することにより、前記放熱板１６自体が着脱可能な状態で取り付けられる。
【００２９】
一方、前記外カバー１７と前記内カバー１８との外周側固定部には、第１のパッキン２４の基部が固定されており、前記放熱板１６は、その外周側上面を同第１のパッキン２４によってシールされるようになっている。また、放熱板１６の前記凹陥部１６ｂには第２のパッキン２５が嵌合され、前記蓋ユニット３の閉蓋時、この第２のパッキン２５の他端が前記内鍋６の縮径された絞り部６ｂの上面に当接し、内鍋６を密閉する。
【００３０】
他方、前記外カバー１７は、その外周縁部が外径を拡大しながら前記肩部材９の外周面に連続するまで下方に延設しており、前記肩コイル１３部分の外周面を確実にカバーし、誘導加熱領域で生じる熱を外部に逃がさないようにする。
【００３１】
そして蓋ユニット３は、例えば図１の図面背面側端部で、開方向への付勢スプリングを備えたヒンジ機構を介して前記炊飯器本体２の同背面側端部に開閉可能に枢着されている一方、前面側端部には、同蓋ユニット３の開閉レバーが設けられ、該開閉レバーを下方に押圧する開操作時には、蓋ロック機構が解除され、前記蓋ユニット３は、付勢スプリングの作用で自動的に上方に開かれる。
【００３２】
なお、前記炊飯器本体２の前面部上方には、例えば図１に示すような操作パネル部２６が設けられている。該操作パネル部２６には、十分に広く大きな表示面積をもつ液晶表示部２７と、炊飯スイッチ２８ａ、タイマー予約スイッチ２８ｂ、取消スイッチ２８ｃ、保温／再加熱スイッチ２８ｄ、おこげスイッチ２８ｅ、メニュー操作スイッチ２８ｆ、時スイッチ２８ｇ、分スイッチ２８ｈ等の各種操作スイッチが設けられる。
【００３３】
本願発明の主要部を占めるにコイルリール１２について説明する。コイルリール１２は、サブ誘導加熱コイルを形成するものであり、その上部に肩コイル１３を形成する肩コイル巻取り部１２ａが、その下部に側面コイル１４を形成する側面コイル巻取り部１２ｂが、その中間に位置し両巻取り部１２ａ、１２ｂを連結支持する空隙としての連結部１２ｃとが形成されるリング状の樹脂部材である。
【００３４】
コイルリール１２の上部の肩コイル巻取り部１２ａは、外周方向に同じ長さだけ水平に張り出したリング状の上段リブ４０ａ、中段リブ４０ｂ及び下段リブ４０ｃを有し、上段リブ４０ａと中段リブ４０ｂとの間、及び中段リブ４０ｂと下段リブ４０ｃとの間には、リード線の径より若干広い間隔が設けられるとともに、それぞれの間には横方向にリード線が直列状態に同数巻き付けられ肩コイル１３を形成している。そして、該肩コイル１３は、その上部に上段コイル１３ａをその下部に下段コイル１３ｂを有する２段の水平リング構造として形成される。なお、前記上段リブ４０ａ、中段リブ４０ｂ及び下段リブ４０ｃの長さは、１段に巻かれる全てのコイルの径と同じかまたはそれ以上でも良い。
【００３５】
このように上段リブ４０ａと中段リブ４０ｂとの間、及び中段リブ４０ｂと下段リブ４０ｃとの間にリード線の径より若干広い間隔を設け、この間隔にリード線を巻き付けて直列のコイルを形成するようにしたため、その巻き付けを短時間で且つ均一に巻き付けることができる。
【００３６】
また、肩コイル１３を非接触部材である中間リブ４０ｂを介在させて２段に設けることにより肩コイル１３の水平方向の幅を広げることなく前記放熱板１６外周縁部１６ｃの下面に設ける磁性金属１５を十分加熱することのできる出力を確保することができる。更に樹脂製の中間リブ４０ｂを介在させることにより、肩コイル１３から発生する熱が該中間リブ４０ｂを介しても放熱されるため、冷却効果が向上する。なお、肩コイル１３は２段以上の複数段のものでも良く、複数段にした場合には各段の間に非接触部材であるリブを介在させることになる。
【００３７】
前記連結部１２ｃは、肩コイル巻取り部１２ａと側面コイル巻取り部１２ｂを連結支持するもので、両巻取り部１２ａ、１２ｂ間の空隙を形成する。このため、該連結部１２ｃを適宜設定することにより側面コイル１４の取り付け位置をある程度自由に設定することができる。
【００３８】
前記側面コイル巻取り部１２ｂは、側面コイル１４を形成する部分で、外周方向に同じ長さだけ水平に張り出したリング状の上段リブ４１ａ及び下段リブ４１ｂを有してなり、上段リブ４１ａ及び下段リブ４１ｂの長さはリード線の径より若干長い長さとされ、上段リブ４１ａ及び下段リブ４１ｂの間の側面コイル巻取り部１２ｂには、垂直方向にリード線が１層巻き付けられ側面コイル１４を形成することになる。この側面コイル１４は、内鍋６の側面部、例えば、内鍋６の絞り６ｂ近傍を加熱するようにすることにより、特に絞り部６ｂ近傍に発生しやすい結露を防止することができる。
【００３９】
そして、前記肩部材９と外ケース５とが無理嵌め等の手段により一体的に取り付けられる際、肩部材９の水平上面部９ｂと内ケース４の肩部材支持片１１との間に前記コイルリール１２が狭持される、即ち、肩部材９の外壁部９ａと水平上面部９ｂと内側折曲部９ｃとによって形成される凹部空間内に嵌め込まれることになる。
【００４０】
なお、２段全ての肩コイル１３の巻き数は、縦方向に巻かれた側面コイル１４の巻き数よりも多くされる。そのため、放熱板１６による内鍋６上方よりの加熱量を十分確保することができるようになり、例えば保温時にご飯が乾燥することを防止することができる。
【００４１】
このようにコイルリール１２に肩コイル１３及び側面コイル１４を形成することにより、肩コイル１３及び側面コイル１４の形成並びにその取り付けを容易に行うことができる。また、肩部材９に前記コイルリール１２を取り付けた炊飯器本体２の上方開口端部に絞り部６ｂを有する前記内鍋６を収納セットした状態においては、図２及び図４に示すように肩コイル１３は、放熱板１６の外周縁部１６ｃ下面の磁性金属１５と対向するとともに内鍋６の絞り部６ｂ近傍に位置し、側面コイル１４は、内鍋６の側面部に対向位置する。
【００４２】
また、コイルリール１２の全体は図３に示すとおりである。内鍋６には、図２に示すように内鍋６を内ケース４から出し入れするための内鍋取手６ｃが径方向に２箇所設けられているため、コイルリール１２の内鍋取手６ｃが対応する位置には同じく径方向に２箇所凹部１２ｅ、１２ｅが形成される。そのため、凹部１２ｅ、１２ｅでは、肩コイル１３は凹部１２ｅ、１２ｅの形状に沿って下方に凹まされ側面コイル１４に近接した位置を占めることになる。
【００４３】
なお、符号３０は、アルミ等の高比熱金属から形成される遮蔽板であり、図４に示すように、コイルリール１２の内側面１２ｄに、側面コイル巻取り部１２ｂは除き、上部の肩コイル巻取り部１２ａとその中間の連結部１２ｃとを覆う形態で取り付けられている。遮蔽板３０を取り付けることにより、肩コイル１３から内鍋６方向に向かう磁場はそのほとんどが遮蔽板３０により遮蔽される。そのため、放熱板１６の外周縁部１６ｃに向かう磁場が多くなりそれだけ放熱板１６の加熱量が増大し、放熱板１６はより短時間且つより高温度に加熱される。その結果、炊きムラのない美味しいご飯ができる。
【００４４】
また、前記遮蔽板３０は、非磁性体金属ではあるが、誘導加熱により放熱板１６よりは少ないが加熱されるため、その消極加熱により間接的に内鍋６の絞り部６ｂ近傍が加熱され、特に絞り部６ｂ近傍に発生しやすい結露を防止することができる。
【００４５】
しかしながら、側面コイル巻取り部１２ｂの内面には遮蔽板３０が設けられていないため、側面コイル１４による内鍋６の側面加熱は何の支障なく行われる。
【００４６】
（第２の実施の形態）
図５にその実施の形態を示す。この実施の形態のものは、コイルリール１２に巻き付けるリード線を断面矩形の平角線を用い、肩コイルによる内鍋の加熱を極力低減するものである。なお、第１の実施の形態のものと同一なものについては同じ符号で示し、以下で説明しない箇所については第１の実施の形態のものを代用する。
【００４７】
コイルリール１２は、第１の実施の形態のものと同様、上部に肩コイル１３を形成する肩コイル巻取り部１２ａが、その下部に側面コイル１４を形成する側面コイル巻取り部１２ｂが、その中間に位置し両巻取り部１２ａ、１２ｂを連結支持する空隙としての連結部１２ｃとが形成されるリング状の樹脂部材である。
【００４８】
コイルリール１２の上部の肩コイル巻取り部１２ａは、外周方向に同じ長さだけ水平に張り出したリング状の上段リブ４０ａ、中段リブ４０ｂ及び下段リブ４０ｃを有し、上段リブ４０ａと中段リブ４０ｂとの間、及び中段リブ４０ｂと下段リブ４０ｃとの間には、リード線の垂直方向の高さより若干広い間隔が設けられるとともに、それぞれの間には横方向にリード線が直列状態に同数巻き付けられ肩コイル１３を形成している。そして、該肩コイル１３は、その上部に上段コイル１３ａをその下部に下段コイル１３ｂを有する２段の水平リング構造として形成される。
【００４９】
なお、前記上段リブ４０ａ、中段リブ４０ｂ及び下段リブ４０ｃの長さは、１段全てのコイルの水平方向の幅と同じかまたはそれ以上でも良い。また、符号Ｈ１で示す長さは、外ケース５とコイルリール１２との間の長さであり、第１の実施の形態のものと同じ長さを示す。
【００５０】
この実施の形態は、上段リブ４０ａと中段リブ４０ｂとの間、及び中段リブ４０ｂと下段リブ４０ｃとの間にリード線の径より若干広い間隔を設け、この間隔にリード線を巻き付けて直列のコイルを形成するようにしたため、第１の実施の形態同様その巻き付けを短時間で且つ均一に巻き付けることができる。
【００５１】
前記連結部１２ｃは、肩コイル巻取り部１２ａと側面コイル巻取り部１２ｂを連結支持するもので、前記肩コイル１３の下方に湾曲部１２ｆを有し、肩コイル巻取り部１２ａを内鍋６より外周側に離れた箇所に位置させるとともに、湾曲部１２ｆ下方の連結部１２ｃは第１の実施の形態同様内鍋６に近接した位置で垂直に位置させ、その下部の外周上に前記側面コイル巻取り部１２ｂを形成している。そして両巻取り部１２ａ、１２ｂ間には空隙としての該連結部１２ｃを有しており、この連結部１２ｃを適宜設定することにより側面コイル１４の取り付け位置をある程度自由に設定することができる。
【００５２】
前記側面コイル巻取り部１２ｂは、側面コイル１４を形成する部分で、外周方向に同じ長さだけ水平に張り出したリング状の上段リブ４１ａ及び下段リブ４１ｂを有してなり、上段リブ４１ａ及び下段リブ４１ｂの長さはリード線の径より同じか或いは若干長い長さとされ、上段リブ４１ａ及び下段リブ４１ｂの間の側面コイル巻取り部１２ｂには、垂直方向に円形のリード線が１層巻き付けられ側面コイル１４を形成する。
【００５３】
なお、この側面コイル１４にも平角線のリード線を用いることができる。また、遮蔽板３０を用いないものとして説明したが、該遮蔽板３０を用いても良い。
【００５４】
ところで、図４に示すように円形のリード線を用い、図４のような箇所、即ち、肩コイル１３の最左端のリード線が内鍋６の絞り６ｂ近傍の箇所に位置するようにするとどうしてもコイルの磁力が内鍋６の絞り６ｂ近傍に作用し、内鍋６を加熱することになる。肩コイル１３が内鍋６を加熱するということはそれだけ本来の目的である放熱板１６の加熱量が低減することになり何らかの対策が必要となる。この場合図４に示すように遮蔽板３０を用いることによりそのような弊害を低減することができるが、遮蔽板３０を用いるとそれだけ生産コストがアップすることになる。
【００５５】
この実施の形態では、上段コイル１３ａ及び下段コイル１３ｂとして断面平角のリード線を長辺を垂直に短辺を水平にする形態で、且つ、第１の実施の形態の上段コイル１３ａ及び下段コイル１３ｂと同じ巻き数巻き付けることにより、該肩コイル１３を図５に示すように長さＨ２だけ図で右側、即ち内鍋６の外周側にずらすことができるため、内鍋６の加熱を低減し、且つ放熱板１６の加熱量を十分確保することができる。
【００５６】
（第３の実施の形態）
図６にその実施の形態を示す。この実施の形態のものは、コイルリール１２に巻き付けるリード線を断面矩形の平角線を用い、肩部の幅を短くし、且つ炊飯器全体を小型化するものである。なお、第１の実施の形態のものと同一なものについては同じ符号で示し、以下で説明しない箇所については第１の実施の形態のものを代用する。
【００５７】
コイルリール１２は、第１の実施の形態のものと同様、上部に肩コイル１３を形成する肩コイル巻取り部１２ａが、その下部に側面コイル１４を形成する側面コイル巻取り部１２ｂが、その中間に位置し両巻取り部１２ａ、１２ｂを連結支持する空隙としての連結部１２ｃとが形成されるリング状の樹脂部材である。
【００５８】
コイルリール１２の上部の肩コイル巻取り部１２ａは、外周方向に同じ長さだけ水平に張り出したリング状の上段リブ４０ａ、中段リブ４０ｂ及び下段リブ４０ｃを有し、上段リブ４０ａと中段リブ４０ｂとの間、及び中段リブ４０ｂと下段リブ４０ｃとの間には、リード線の垂直方向の高さより若干広い間隔が設けられるとともに、それぞれの間には横方向にリード線が直列状態に同数巻き付けられ肩コイル１３を形成している。そして、該肩コイル１３は、その上部に上段コイル１３ａをその下部に下段コイル１３ｂを有する２段の水平リング構造として形成される。
【００５９】
この実施の形態では、上段コイル１３ａ及び下段コイル１３ｂとして断面平角のリード線を長辺を垂直に短辺を水平にする形態で、且つ、第１の実施の形態の上段コイル１３ａ及び下段コイル１３ｂと同じ巻き数巻き付けるとともに、該肩コイル１３を図に示すように第１の実施の形態と同様な位置に配置するものである。なお、前記上段リブ４０ａ、中段リブ４０ｂ及び下段リブ４０ｃの長さは、１段全てのコイルの水平方向の幅と同じかまたはそれ以上でも良い。なお、符号３０は、遮蔽板である。
【００６０】
このように上段リブ４０ａと中段リブ４０ｂとの間、及び中段リブ４０ｂと下段リブ４０ｃとの間にリード線の径より若干広い間隔を設け、この間隔にリード線を巻き付けて直列のコイルを形成するようにしたため、第１の実施の形態同様その巻き付けを短時間で且つ均一に巻き付けることができる。
【００６１】
前記連結部１２ｃは、肩コイル巻取り部１２ａと側面コイル巻取り部１２ｂを連結支持するもので、両巻取り部１２ａ、１２ｂ間の空隙を形成する。このため、該連結部１２ｃを適宜設定することにより側面コイル１４の取り付け位置をある程度自由に設定することができる。
【００６２】
前記側面コイル巻取り部１２ｂは、側面コイル１４を形成する部分で、外周方向に同じ長さだけ水平に張り出したリング状の上段リブ４１ａ及び下段リブ４１ｂを有してなり、上段リブ４１ａ及び下段リブ４１ｂの長さはリード線の径より同じか或いは若干長い長さとされ、上段リブ４１ａ及び下段リブ４１ｂの間の側面コイル巻取り部１２ｂには、垂直方向に円形のリード線が１層巻き付けられ側面コイル１４を形成することになる。なお、この側面コイル１４にも平角線のリード線を用いることができる。
【００６３】
ところで、図４に示すように円形のリード線を用いるとどうしても横方向の長さが長くなる。それに対して、断面矩形である平角のリード線を長辺を垂直に短辺を水平にする形態で同じ巻き数巻いて用いると、その出力は変わらず横方法の長さを短くすることができる。即ち、この実施の形態のものは、図５の第２の実施の形態で示した長さＨ２だけ肩コイル１３を内鍋方向にずらしたものに相当する。
【００６４】
しかしながら肩コイル１３を内鍋６方向に近づけることは、それだけ内鍋６が加熱され、放熱板１６の加熱量が低減することになるがそれに対しては図に示すように遮蔽板３０を用いる等の手段を施すことにより対処することができる。
【００６５】
このような形態にすることにより、内ケース４とコイルケース１２との従来の長さＨ１を図５で示す長さＨ２だけ小さいＨ３の長さに短縮することができ、それだけ肩部９の水平上面部９ｂの長さを短くでき、その結果炊飯器全体を小型化することができる。
【００６６】
（第４の実施の形態）
図７にその実施の形態を示す。この実施の形態のものは、コイルリール１２に巻き付けるリード線を断面矩形の平角線を用い、１段に巻き付ける巻き数を多くし段数を低減するものである。なお、第１の実施の形態のものと同一なものについては同じ符号で示し、以下で説明しない箇所については第１の実施の形態のものを代用する。
【００６７】
コイルリール１２は、第１の実施の形態のものと同様、上部に肩コイル１３を形成する肩コイル巻取り部１２ａが、その下部に側面コイル１４を形成する側面コイル巻取り部１２ｂが、その中間に位置し両巻取り部１２ａ、１２ｂを連結支持する空隙としての連結部１２ｃとが形成されるリング状の樹脂部材である。
【００６８】
コイルリール１２の上部の肩コイル巻取り部１２ａは、外周方向に同じ長さだけ水平に張り出したリング状の上段リブ４０ａ及び下段リブ４０ｂを有し、上段リブ４０ａと下段リブ４０ｂとの間には、リード線の垂直方向の高さより若干広い間隔が設けられるとともに、その間には横方向に２段を別々に分けて巻く巻き数とほぼ同じ巻き数を１段に巻き付けて形成したものであり、肩コイル１３を形成する。
【００６９】
なお、肩コイル１３は第１の実施の形態同様内鍋６方向に近づくことになりそれだけ内鍋６が加熱され、放熱板１６の加熱量が低減することになるがそれに対しては図に示すように遮蔽板３０を用いることで対処することができる。
【００７０】
このように上段リブ４０ａと下段リブ４０ｂとの間にリード線の径より若干広い間隔を設け、この間隔にリード線を巻き付けるようにしたため、第１の実施の形態同様その巻き付けを短時間で且つ均一に巻き付けることができる。
【００７１】
前記連結部１２ｃは、肩コイル巻取り部１２ａと側面コイル巻取り部１２ｂを連結支持するもので、両巻取り部１２ａ、１２ｂ間の空隙を形成する。このため、該連結部１２ｃを適宜設定することにより側面コイル１４の取り付け位置をある程度自由に設定することができる。
【００７２】
前記側面コイル巻取り部１２ｂは、側面コイル１４を形成する部分で、外周方向に同じ長さだけ水平に張り出したリング状の上段リブ４１ａ及び下段リブ４１ｂを有してなり、上段リブ４１ａ及び下段リブ４１ｂの長さはリード線の径より同じか或いは若干長い長さとされ、上段リブ４１ａ及び下段リブ４１ｂの間の側面コイル巻取り部１２ｂには、垂直方向に円形のリード線が１層巻き付けられ側面コイル１４を形成することになる。なお、この側面コイル１４にも平角線のリード線を用いることができる。
【００７３】
このように断面円形のリード線ではなく、断面矩形である平角のリード線を長辺を垂直に短辺を水平にする形態で用いることにより、同じ巻き数であれば円形のリード線を用いるものに比べ横方向の長さを短くできるため、２段で設けていたものを１段にすることができる。そして１段にすることにより全てのコイルを放熱板１６に均等に近づけることができ、放熱板１６の加熱効率を向上させることができる。また、１段にすることにより上下方向の高さを低減することができ炊飯器全体を小型化することができる。
【００７４】
（第５の実施の形態）
図９にその実施の形態を示す。この実施の形態のものは、肩コイル１３を第１の実施の形態の横方向のものに変えて縦方向に配置したものである。なお、第１の実施の形態のものと同一なものについては同じ符号で示し、以下で説明しない箇所については第１の実施の形態のものを代用する。
【００７５】
コイルリール１２は、第１の実施の形態のものと同様、上部に肩コイル１３を形成する肩コイル巻取り部１２ａが、その下部に側面コイル１４を形成する側面コイル巻取り部１２ｂが、その中間に位置し両巻取り部１２ａ、１２ｂを連結支持する空隙としての連結部１２ｃとが形成されるリング状の樹脂部材である。
【００７６】
コイルリール１２の上部の肩コイル巻取り部１２ａは、外周方向に同じ長さだけ水平に張り出したリング状の上段リブ４０ａ及び下段リブ４０ｂを有し、上段リブ４０ａと下段リブ４０ｂとの間には、円形のリード線を必要回数巻いた長さより若干広い間隔が設けられるとともに、その間には縦方向にリード線が１層巻き付けられており肩コイル１３を形成する。
【００７７】
そして、肩コイル１３を形成するコイルが巻かれる位置は、第２の実施の形態の図５に示されるものと同様肩部材９の内側折曲部９ｃより長さＨ２だけ内鍋６から離して設けられるとともに、その上端部は高さＨ４だけ上方に突出し、放熱板１６に近接した位置に取り付けられる。なお、この実施の形態の場合、肩部材９の水平上面部９ｂは、その中央部に突部９ｄが形成され、肩コイル１３の上端はこの突部９ｄの内側に形成される凹部内に挿入され、肩部材９と外ケース５とを取り付ける際、肩部材９と内ケース４とで強固に狭持されることになる。
【００７８】
このように上段リブ４０ａ及び下段リブ４０ｂとの間に円形のリード線を必要回数巻いた長さより若干広い間隔を設け、その間に縦方向にリード線を１層巻き付けたため、第１の実施の形態同様その巻き付けを短時間で且つ均一に巻き付けることができる。
【００７９】
前記連結部１２ｃは、肩コイル巻取り部１２ａと側面コイル巻取り部１２ｂを連結支持するもので、前記肩コイル１３の下方に第１湾曲部１２ｇ及び第２湾曲部１２ｈを有する階段状部材であり、肩コイル巻取り部１２ａを内鍋６より離れた箇所に位置させるとともに、第２湾曲部１２ｈ下方の連結部１２ｃは第１の実施の形態同様内鍋６に近接した位置で垂直に位置させ、その下部の外周上に前記側面コイル巻取り部１２ｂを形成している。そして両巻取り部１２ａ、１２ｂ間には空隙を形成しており、該連結部１２ｃを適宜設定することにより側面コイル１４の取り付け位置をある程度自由に設定することができる。
【００８０】
前記側面コイル巻取り部１２ｂは、側面コイル１４を形成する部分で、外周方向に同じ長さだけ水平に張り出したリング状の上段リブ４１ａ及び下段リブ４１ｂを有してなり、上段リブ４１ａ及び下段リブ４１ｂの長さはリード線の径より同じか或いは若干長い長さとされ、上段リブ４１ａ及び下段リブ４１ｂの間の側面コイル巻取り部１２ｂには、垂直方向に円形のリード線が１層巻き付けられ側面コイル１４を形成することになる。
【００８１】
このような形態により、肩コイル１３を内鍋６より離して設けることができるため放熱板１６への磁場をより多く確保することができるとともに、放熱板１６に近接させて肩コイル１３を設けることができるため加熱効率を向上させることができる。なお、この実施の形態では遮蔽板３０を用いないものとして説明したが遮蔽板３０を設けても良い。
【００８２】
本願発明は、前記実施例の構成に限定されるものではなく、発明の要旨を逸脱しない範囲において適宜設計変更可能であることは勿論である。
【００８３】
【発明の効果】
請求項１に係る発明では、コイルリールの外面にコイルを巻き付け、放熱板及び内鍋の側部を加熱するサブ誘導加熱コイルを形成することにより、サブ誘導加熱コイルを予めコイルリールに巻き付けてユニット化しておくことができるため、コイルリールへのリード線の巻き付けを予め均一に巻き付けておくことができ、更にコイルリールの肩部への取り付けを簡単且つ短時間で行うことができ、生産コストを低減することができる。
【００８４】
請求項２に係る発明では、コイルリールを、放熱板を加熱するための肩部コイルが巻かれる略水平面と、内鍋の側面を加熱するための側面コイルが巻かれる略垂直面とから形成することにより、肩部コイル及び側面コイルの巻き付けを所定の位置に的確且つ容易に行うことができるとともに、コイルリールへのリード線の巻き付けを予め均一に巻き付けておくことができ、更にコイルリールの肩部への取り付けを簡単且つ短時間で行うことができ、生産コストを低減することができる。
【００８５】
請求項３に係る発明では、コイルリールを、放熱板を加熱するための肩部コイルが巻かれる略水平面と、内鍋の側面を加熱するための側面コイルが巻かれる略垂直面とから形成するとともに、略水平面と略垂直面とを空隙を設けて配置することにより、側面コイルを内鍋側面の上方から下方の範囲内の適宜位置に配置したとしてもコイルリールを使用することができるようになり、側面コイルの使用範囲を広げることができ、加熱の自由度を高めることができる。また、肩部コイル及び側面コイルの巻き付けを所定の位置に的確且つ容易に行うことができるとともに、コイルリールへのリード線の巻き付けを予め均一に巻き付けておくことができ、更にコイルリールの肩部への取り付けを簡単且つ短時間で行うことができ、生産コストを低減することができる。その結果、内鍋内の炊きムラをなくし、かまどで炊いたようなおいしいご飯を提供することができる。
【００８６】
請求項４に係る発明では、横方向に巻かれたコイルを複数段で形成し、上段と下段との間には非接触部材を介在させることにより、請求項１乃至３に係る発明の効果に加え、肩部コイルの横方向への巻き数を低減しても放熱板を加熱するための出力を十分確保できるため、炊飯器を小型化することができる。また、段間に非接触部材を介在させることにより各段内でのリード線の巻き付けをより均一にすることができるとともに、非接触部材がリード線で発生する熱を逃がす作用を奏するため、コイルの温度上昇を抑えることができ、それだけ生産コストを低減することができる。
【００８７】
請求項５に係る発明では、横方向に巻かれた複数段全てのコイルの巻き数を縦方向に巻かれたコイルの巻き数よりも多くすることにより、請求項１乃至４に係る発明の効果に加え、放熱板による内鍋上方よりの加熱量を十分確保することができるようになり、保温時でのご飯の乾燥をより低減することができるとともに、内鍋内の加熱がより均一化されかまどで炊いたようなよりおいしいご飯を提供することができる。
【図面の簡単な説明】
【図１】本願発明の誘導加熱式炊飯器の全体を示す概略図。
【図２】本願発明のコイルリールを取り付けた状態を示す要部拡大斜視図。
【図３】本願発明のコイルリールを示す斜視図。
【図４】本願発明のコイルリールを示す要部拡大断面図。
【図５】本願発明の他のコイルリールを示す要部拡大断面図。
【図６】本願発明の更に他のコイルリールを示す要部拡大断面図。
【図７】本願発明の更に他のコイルリールを示す要部拡大断面図。
【図８】本願発明の放熱板を示す底面拡大図。
【図９】本願発明の更に他のコイルリールを示す要部拡大断面図。
【図１０】従来例の誘導加熱式炊飯器の断面図。
【符号の説明】
１…誘導加熱式炊飯器      ２…炊飯器本体
３…蓋ユニット            ４…内ケース
５…外ケース              ６…内鍋
６ａ…開口縁部            ６ｂ…絞り部
６ｃ…内鍋取手            ８…カバー部材
９…肩部材                ９ａ…外壁部
９ｂ…水平上面部          ９ｃ…内側折曲部
１０…底部材              １１…肩部材支持片
１１ａ…最外周端          １２…コイルリール
１２ａ…肩コイル巻取り部  １２ｂ…側面コイル巻取り部
１２ｃ…連結部            １２ｄ…内側面
１２ｅ…凹部              １２ｆ…湾曲部
１２ｇ…第１湾曲部        １２ｈ…第２湾曲部
１３…肩コイル            １４…側面コイル
１５…磁性金属            １６…放熱板
１６ａ…放熱部            １６ｂ…凹陥部
１６ｃ…外周縁部          １６ｄ…折曲部
１６ｅ…外側折曲部        １７…外カバー
１８…内カバー            １９…内部空間
２０…調圧口              ２１…調圧ユニット
２２…筒部                ２３…嵌合用筒部
２４…第１のパッキン      ２５…第２のパッキン
２６…操作パネル部        ２７…液晶表示部
２８ａ〜ｈ…各種スイッチ  ３０…遮蔽板
３１…スカート部          ３２…保温ヒータ
３３…ビス                ４０ａ…上段リブ
４０ｂ…中段リブ          ４０ｃ…下段リブ
４１ａ…上段リブ          ４１ｂ…下段リブ
【図１】
2004283482.tif 000003
【図２】
2004283482.tif 000004
【図３】
2004283482.tif 000005
【図４】
2004283482.tif 000006
【図５】
2004283482.tif 000007
【図６】
2004283482.tif 000008
【図７】
2004283482.tif 000009
【図８】
2004283482.tif 000010
【図９】
2004283482.tif 000011
【図１０】
2004283482.tif 000012